(57)【特許請求の範囲】
【請求項１】
架空電線に対する架空電線用ダンパの取り付けおよび取り外しを行なうための架空電線用ダンパの着脱工具であって、
左右一対の立壁部を有する工具本体と、
前記工具本体を支持する絶縁棒とを備え、
前記左右一対の立壁部の各々には、外部に向けて開放するとともに架空電線用ダンパの抑止線が配置可能な受け入れ口と、前記受け入れ口に通じることで架空電線用ダンパの抑止線を受け入れ可能な受け入れ部とが設けられ、
前記受け入れ口の各々には、クランプ部が設けられ、
前記クランプ部が、架空電線用ダンパの抑止線が前記受け入れ口に配置された状態において、架空電線用ダンパの抑止線を挟み込むことで保持することが可能であるとともに、架空電線用ダンパの抑止線が前記受け入れ口を越えて前記受け入れ部に配置された状態において、架空電線用ダンパの抑止線が前記受け入れ口を通過しないように前記受け入れ口を閉鎖することが可能である、架空電線用ダンパの着脱工具。
【請求項２】
前記クランプ部によって架空電線用ダンパの抑止線が保持された状態において、架空電線用ダンパの架空電線把持部のキャップの左右の壁面に宛がわれることにより、架空電線用ダンパの架空電線把持部のキャップの移動を案内することが可能なガイド部が、前記左右一対の立壁部の各々に回動可能に組み付けられている、請求項１に記載の架空電線用ダンパの着脱工具。
【請求項３】
前記クランプ部によって架空電線用ダンパの抑止線が保持された状態において、架空電線用ダンパの架空電線把持部のキャップを架空電線用ダンパの架空電線把持部のアームに対して押圧することが可能な押圧部が、前記工具本体に設けられている、請求項１または２に記載の架空電線用ダンパの着脱工具。
【請求項４】
前記工具本体を吊り下げるための吊り下げロープが取り付け可能な係合部が、前記左右一対の立壁部の各々に設けられている、請求項１から３のいずれかに記載の架空電線用ダンパの着脱工具。
【請求項５】
架空電線用ダンパの抑止線が前記受け入れ口に配置された状態において、架空電線用ダンパの一対の重錘部のうちの一方と前記左右一対の立壁部のうちの一方との間に介在することで前記工具本体に対する架空電線用ダンパの配置位置の位置決めを行なうための位置決め部材が、前記左右一対の立壁部のうちの前記一方に対して組み付け可能である、請求項１から４のいずれかに記載の架空電線用ダンパの着脱工具。
【発明の詳細な説明】
【技術分野】
【０００１】
本発明は、架空電線に対する架空電線用ダンパ（以下、単に「ダンパ」とも称する）の取り付けおよび取り外しを行なうための架空電線用ダンパの着脱工具（以下、単に「着脱工具」とも称する）に関する。
【背景技術】
【０００２】
送電用鉄塔に懸架された送電線に代表される架空電線には、風が吹き付けることによってその風下側にカルマン渦が発生することで振動が生じる。この振動は、架空電線に早期に金属疲労をもたらすため、これを防止するために、架空電線の支持部の近傍には、架空電線用ダンパが取り付けられる。架空電線用ダンパは、その振動の抑制メカニズムに基づいて、一般にダブルトーショナルダンパと称される。
【０００３】
架空電線用ダンパは、たとえば特開２０１２−５２０３号公報（特許文献１）に開示されるように、抑止線と、抑止線の一対の端部にそれぞれ固定された一対の重錘部と、抑止線の中央部に設けられた架空電線把持部とを有している。このうち、架空電線把持部は、抑止線に固定されたアームと、アームに締め付けボルトを介して取り付けられたキャップとを有しており、アームとキャップとによって架空電線が挟み込まれた状態において締め付けボルトが締め付けられることにより、架空電線用ダンパが架空電線に取り付けられる。
【先行技術文献】
【特許文献】
【０００４】
【特許文献１】特開２０１２−５２０３号公報
【発明の概要】
【発明が解決しようとする課題】
【０００５】
ここで、架空電線用ダンパは、重量物であり、架空電線用ダンパの着脱には、相当程度の困難が伴う。また、架空電線用ダンパの着脱は、高所での作業を必要とする場合が多く、相当程度の危険も伴う。そのため、より容易にかつ安全に架空電線用ダンパの着脱が行なえる作業手順や着脱工具の開発が望まれていた。
【０００６】
加えて、活線状態（すなわち、架空電線へ送電を行なっている状態）において架空電線用ダンパの着脱を行なった場合には、作業を誤れば感電事故や停電事故に繋がるおそれもあり、現状においては、非活線状態（すなわち、架空電線への送電を停止している状態）において架空電線用ダンパの着脱を行なうことが一般的である。
【０００７】
しかしながら、架空電線への送電の停止は、たとえ短時間であってもその影響が大きく、活線状態において架空電線用ダンパの着脱を行なうことができれば、様々な面において好都合である。そのため、活線状態においても容易にかつ安全に架空電線用ダンパの着脱が行なえる作業手順および着脱工具の開発も望まれていた。
【０００８】
したがって、本発明は、上述した問題に鑑みてなされたものであり、架空電線に対する架空電線用ダンパの取り付けおよび取り外しを容易にかつ安全に行なうことができる架空電線用ダンパの着脱工具を提供することを目的とし、さらには、架空電線に対する架空電線用ダンパの取り付けおよび取り外しを活線状態においても容易にかつ安全に行なうことができる架空電線用ダンパの着脱工具を提供することを目的とする。
【課題を解決するための手段】
【０００９】
本発明に基づく架空電線用ダンパの着脱工具は、架空電線に対する架空電線用ダンパの取り付けおよび取り外しを行なうためのものであって、工具本体と、絶縁棒とを備えている。上記工具本体は、左右一対の立壁部を有しており、上記絶縁棒は、上記工具本体を支持している。上記左右一対の立壁部の各々には、外部に向けて開放するとともに架空電線用ダンパの抑止線が配置可能な受け入れ口と、上記受け入れ口に通じることで架空電線用ダンパの抑止線を受け入れ可能な受け入れ部とが設けられており、上記受け入れ口の各々には、クランプ部が設けられている。上記クランプ部は、架空電線用ダンパの抑止線が上記受け入れ口に配置された状態において、架空電線用ダンパの抑止線を挟み込むことで保持することが可能であるとともに、架空電線用ダンパの抑止線が上記受け入れ口を越えて上記受け入れ部に配置された状態において、架空電線用ダンパの抑止線が上記受け入れ口を通過しないように上記受け入れ口を閉鎖することが可能である。
【００１０】
上記本発明に基づく架空電線用ダンパの着脱工具にあっては、上記クランプ部によって架空電線用ダンパの抑止線が保持された状態において、架空電線用ダンパの架空電線把持部のキャップの左右の壁面に宛がわれることにより、架空電線用ダンパの架空電線把持部のキャップの移動を案内することが可能なガイド部が、上記左右一対の立壁部の各々に回動可能に組み付けられていてもよい。
【００１１】
上記本発明に基づく架空電線用ダンパの着脱工具にあっては、上記クランプ部によって架空電線用ダンパの抑止線が保持された状態において、架空電線用ダンパの架空電線把持部のキャップを架空電線用ダンパの架空電線把持部のアームに対して押圧することが可能な押圧部が、上記工具本体に設けられていてもよい。
【００１２】
上記本発明に基づく架空電線用ダンパの着脱工具にあっては、上記工具本体を吊り下げるための吊り下げロープが取り付け可能な係合部が、上記左右一対の立壁部の各々に設けられていてもよい。
【００１３】
上記本発明に基づく架空電線用ダンパの着脱工具にあっては、架空電線用ダンパの抑止線が上記受け入れ口に配置された状態において、架空電線用ダンパの一対の重錘部のうちの一方と上記左右一対の立壁部のうちの一方との間に介在することで上記工具本体に対する架空電線用ダンパの配置位置の位置決めを行なうための位置決め部材が、上記左右一対の立壁部のうちの上記一方に対して組み付け可能であってもよい。
【発明の効果】
【００１４】
本発明によれば、架空電線に対する架空電線用ダンパの取り付けおよび取り外しを容易にかつ安全に行なうことができる架空電線用ダンパの着脱工具を提供することが可能になり、さらには、架空電線に対する架空電線用ダンパの取り付けおよび取り外しを活線状態においても容易にかつ安全に行なうことができる架空電線用ダンパの着脱工具を提供することが可能になる。
【図面の簡単な説明】
【００１５】
【図１】ダブルトーショナルダンパの使用例を示す図である。
【図２】ダンパＩＩ形の送電線への取り付け状態を示す概略斜視図である。
【図３】図２に示すＩＩＩ−ＩＩＩ線に沿った模式断面図である。
【図４】実施の形態１に係るダンパＩＩ形用着脱工具の概略斜視図である。
【図５】図４に示すダンパＩＩ形用着脱工具を用いて送電線へダンパＩＩ形を取り付ける場合の取り付け作業の第１段階を示す概略斜視図である。
【図６】図５に示す第１段階が終了した後の状態を示す概略斜視図である。
【図７】図６に示す状態の模式平面図である。
【図８】図４に示すダンパＩＩ形用着脱工具を用いて送電線へダンパＩＩ形を取り付ける場合の取り付け作業の第２段階を示す概略斜視図である。
【図９】図４に示すダンパＩＩ形用着脱工具を用いて送電線へダンパＩＩ形を取り付ける場合の取り付け作業の第３段階を示す模式側面図である。
【図１０】図４に示すダンパＩＩ形用着脱工具を用いて送電線へダンパＩＩ形を取り付ける場合の取り付け作業の第４段階を示す概略斜視図である。
【図１１】図４に示すダンパＩＩ形用着脱工具を用いて送電線へダンパＩＩ形を取り付ける場合の取り付け作業の第５段階を示す概略斜視図である。
【図１２】図４に示すダンパＩＩ形用着脱工具を用いて送電線からダンパＩＩ形を取り外す場合の取り外し作業の第１段階を示す概略斜視図である。
【図１３】図４に示すダンパＩＩ形用着脱工具を用いて送電線からダンパＩＩ形を取り外す場合の取り外し作業の第２段階を示す概略斜視図である。
【図１４】図１３に示す第２段階が終了した後の状態を示す概略斜視図である。
【図１５】図１４に示す状態の模式側面図である。
【図１６】図４に示すダンパＩＩ形用着脱工具を用いて送電線からダンパＩＩ形を取り外す場合の取り外し作業の第３段階を示す概略側面図である。
【図１７】図４に示すダンパＩＩ形用着脱工具を用いて送電線からダンパＩＩ形を取り外す場合の取り外し作業の第４段階を示す概略斜視図である。
【図１８】図４に示すダンパＩＩ形用着脱工具を用いて送電線へダンパＩＩ形を取り付ける場合の、位置決め部材を用いた場合の取り付け作業の第１段階が終了した後の状態を示す模式平面図である。
【図１９】ダンパＩ形の送電線への取り付け状態を示す概略斜視図である。
【図２０】図１９に示すＸＸ−ＸＸ線に沿った模式断面図である。
【図２１】実施の形態２に係るダンパＩ形用着脱工具の概略斜視図である。
【図２２】図２１に示すダンパＩ形用着脱工具を用いて送電線へダンパＩ形を取り付ける場合の取り付け作業の第１段階が終了した後の状態を示す概略斜視図である。
【図２３】図２２に示す状態の模式平面図である。
【図２４】図２２および図２３に示す状態において実施される付加作業が終了した後の状態を示す模式平面図である。
【図２５】図２１に示すダンパＩ形用着脱工具を用いて送電線へダンパＩ形を取り付ける場合の取り付け作業の第３段階を示す模式側面図である。
【図２６】図２１に示すダンパＩ形用着脱工具を用いて送電線からダンパＩ形を取り外す場合の取り外し作業の第２段階が終了した後の状態を示す模式側面図である。
【図２７】図２１に示すダンパＩ形用着脱工具を用いて送電線からダンパＩ形を取り外す場合の取り外し作業の第３段階を示す模式側面図である。
【発明を実施するための形態】
【００１６】
以下、本発明の実施の形態について、図を参照して詳細に説明する。なお、以下に示す実施の形態においては、同一のまたは共通する部分について図中同一の符号を付し、その説明は繰り返さない。
【００１７】
＜ダブルトーショナルダンパの使用例＞
図１は、架空電線用ダンパであるダブルトーショナルダンパの使用例を示す図である。まず、この図１を参照して、ダブルトーショナルダンパ１の使用例について説明する。
【００１８】
図１に示すように、ダブルトーショナルダンパ１は、たとえば送電用鉄塔１００に懸架された架空電線としての送電線１０１に取り付けられることで使用される。ダブルトーショナルダンパ１は、送電線１０１に風が吹き付けることでその風下側に発生するカルマン渦の影響によって当該送電線１０１に生じる振動を抑制する目的で送電線１０１に取り付けられる。
【００１９】
より詳細には、ダブルトーショナルダンパ１は、送電線１０１のうちの送電用鉄塔１００に支持された部分の近傍に取り付けられる。これにより、送電線１０１に生じる振動の抑制が可能になり、送電線１０１に早期に金属疲労が発生してしまうことが効果的に防止できる。
【００２０】
なお、ダブルトーショナルダンパ１は、ダブルトーショナルダンパＩ形（「ダンパＩ形」とも称する）と、ダブルトーショナルダンパＩＩ形（「ダンパＩＩ形」とも称する）とに分類される。これら２種類のダブルトーショナルダンパ１は、抑止線に対する架空電線把持部の組み付け角度によって区別されるものであるが、いずれも送電線１０１に生じる振動が抑制できる点において、その機能は共通している。
【００２１】
以下においては、ダブルトーショナルダンパＩＩ形を送電線に対して取り付けおよび取り外しする際に用いられるダブルトーショナルダンパＩＩ形の着脱工具（「ダンパＩＩ形用着脱工具」とも称する）を実施の形態１において例示して説明することとし、ダブルトーショナルダンパＩ形を送電線に対して取り付けおよび取り外しする際に用いられるダブルトーショナルダンパＩ形の着脱工具（「ダンパＩ形用着脱工具」とも称する）を実施の形態２において例示して説明することとする。
【００２２】
＜実施の形態１＞
図２は、ダンパＩＩ形の送電線への取り付け状態を示す概略斜視図であり、図３は、図２に示すＩＩＩ−ＩＩＩ線に沿った模式断面図である。まず、本実施の形態に係るダンパＩＩ形用着脱工具について説明するに先だって、これら図２および図３を参照して、ダンパＩＩ形１Ａについて詳説する。
【００２３】
図２および図３に示すように、ダンパＩＩ形１Ａは、送電線把持部２と、抑止線６と、一対の重錘部７とを有している。送電線把持部２は、アーム３と、キャップ４と、締め付けボルト５とを含んでおり、このうちのアーム３およびキャップ４によって送電線１０１が把持される。
【００２４】
具体的には、アーム３は、その上側端部寄りの部分がフック状に折り曲げられた断面視略Ｃ字状の形状を有しており、その下側端部寄りの部分に雌ネジ部を有している。一方、キャップ４は、その上側端部寄りの部分が折り曲げられた断面視略Ｌ字状の形状を有しており、その下側端部寄りの部分に貫通孔を有している。キャップ４の下側端部寄りの部分は、アーム３の下側端部寄りの部分に設けられた凹所に嵌め込まれており、これによりアーム３の雌ネジ部とキャップ４の貫通孔とが対向している。
【００２５】
これら雌ネジ部と貫通孔には、周面に雄ネジ部が設けられるとともに平座金およびばね座金が取り付けられた締め付けボルト５が挿入されており、アーム３の雌ネジ部に締め付けボルト５の雄ネジ部が螺合することにより、アーム３の上側端部寄りの部分とキャップ４の上側端部寄りの部分とによって送電線１０１が挟み込み可能に構成されている。すなわち、締め付けボルト５が図２中に示す矢印Ａ方向に回転することにより、アーム３に対して相対的にキャップ４が図２中に示す矢印Ｂ方向に移動することになり、これにより送電線把持部２による送電線１０１の把持とその解除が可能になる。
【００２６】
また、アーム３の下側端部寄りの部分には、左右方向に延びる貫通孔が設けられており、当該貫通孔には、抑止線６が挿通されている。これにより、抑止線６は、左右方向に延在した状態でアーム３に固定されている。抑止線６の左側端部には、一対の重錘部７のうちの一方が固定されており、抑止線６の右側端部には、一対の重錘部７のうちの他方が固定されている。
【００２７】
以上により、ダンパＩＩ形１Ａが送電線１０１に取り付けられた使用状態においては、ダンパＩＩ形１Ａの送電線把持部２が送電線１０１から垂下した状態で配置されることになり、また、ダンパＩＩ形１Ａの一対の重錘部７が、送電線１０１と略平行に延在するように送電線把持部２の下側端部寄りの部分に固定された抑止線６によって互いに連結された状態で送電線１０１の下方側の位置に配置されることになる。
【００２８】
なお、ダンパＩＩ形１Ａにおいては、側面視した状態においてアーム３の上側端部寄りの部分がアーム３の下側端部寄りの部分よりも後方（すなわち、図３中における右方）に配置されるように送電線把持部２が後傾している。これにより、上述した使用状態においては、抑止線６が送電線１０１の前方下側の位置に配置されることになる。
【００２９】
図４は、本実施の形態に係るダンパＩＩ形用着脱工具の概略斜視図である。次に、この図４を参照して、本実施の形態に係るダンパＩＩ形用着脱工具１０Ａの構成について詳説する。
【００３０】
図４に示すように、ダンパＩＩ形用着脱工具１０Ａは、工具本体２０と、絶縁棒３０とを備えている。工具本体２０は、主として金属製の板状部材のプレス成形品からなる複数の板状部材を溶接等によって接合することで形成されており、絶縁棒３０は、絶縁性のロッド部材によって主として構成されている。なお、工具本体２０は、安全性の観点から絶縁塗料等によって被覆されていることが好ましい。
【００３１】
工具本体２０は、基部２１と、コネクタ部２２と、一対の立壁部２３と、一対のクランプ部２４と、一対のガイド部２５と、一対の係合部２６とを主として有している。このうち、基部２１、コネクタ部２２および一対の立壁部２３が、上述したプレス成形品に該当する。
【００３２】
基部２１は、左右方向に沿って延在するように位置しており、コネクタ部２２は、基部２１の左右方向の中央位置に固定されている。基部２１の左側端部には、一対の立壁部２３のうちの一方が固定されており、基部２１の右側端部には、一対の立壁部２３のうちの他方が固定されている。
【００３３】
コネクタ部２２は、絶縁棒３０が着脱可能に固定される部位である。これにより、工具本体２０は、コネクタ部２２に絶縁棒３０が固定された状態において、絶縁棒３０によって支持されることになる。絶縁棒３０は、工具本体２０に接続された側の端部とは反対側の端部寄りの部分を作業員が手で持つことにより、工具本体２０から離れた場所において作業員が工具本体２０を操作するためのものである。なお、コネクタ部２２および絶縁棒３０は、その水平面内における取り付け角度が調節可能となるように構成されている。
【００３４】
一対の立壁部２３の各々は、所定の距離を隔てて対向するように配置されており、いずれもその下側端部寄りの部分であってかつ後側端部寄りの部分が基部２１に固定されている。一対の立壁部２３の間の空間は、後述するようにダンパＩＩ形用着脱工具１０ＡによってダンパＩＩ形１Ａが保持された状態において、ダンパＩＩ形１Ａの送電線把持部２が収容される部位である。
【００３５】
一対の立壁部２３の各々は、側面視略Ｆ字状の形状を有しており、基部２１に固定された側とは反対側に位置する前側端部寄りの部分に、後述するクランプ部２４が設けられた受け入れ口を有している。また、一対の立壁部２３の各々の受け入れ口よりも後側端部寄りの部分には、当該受け入れ口に通じるように切り欠き形状の受け入れ部２３ａが設けられている。
【００３６】
なお、一対の立壁部２３のうちの一方（図４中において左側に位置する立壁部）の所定位置には、貫通孔２３ｂが設けられている。当該貫通孔２３ｂは、後述する位置決め部材２９（図１８参照）を当該立壁部２３に固定するための部位であるが、その詳細については後述することとする。
【００３７】
一対のクランプ部２４の各々は、クランプベース２４ａと、ボルト２４ｂと、下側受け部２４ｃと、上側受け部２４ｄとを含んでいる。当該一対のクランプ部２４の各々は、一般にＬ型クランプと称される構造のものである。
【００３８】
具体的には、板状の部材からなるクランプベース２４ａは、立壁部２３に固定されており、上述した立壁部２３の受け入れ口の下方に配置されている。クランプベース２４ａには、雌ネジ部が設けられており、当該雌ネジ部には、ボルト２４ｂが下方から挿入されて螺合している。ボルト２４ｂの先端部には、ブロック状の部材からなる下側受け部２４ｃが回転自在に組み付けられている。また、ブロック状の部材からなる上側受け部２４ｄは、上述した立壁部２３の受け入れ口の上方に移動不能に固定されている。
【００３９】
下側受け部２４ｃの上面および上側受け部２４ｄの下面には、それぞれダンパＩＩ形１Ａの抑止線６の外形に応じた溝部が設けられており、これら溝部が設けられた下側受け部２４ｃの上面および上側受け部２４ｄの下面は、上下方向において対向して位置している。
【００４０】
これにより、図４中に示す矢印Ｃ方向にボルト２４ｂが回転することにより、クランプベース２４ａに対して相対的にボルト２４ｂおよび下側受け部２４ｃが図４中に示す矢印Ｄ方向（すなわち上下方向）に移動することになる。そのため、これに伴って下側受け部２４ｃと上側受け部２４ｄとの間の距離が増減することになる。
【００４１】
したがって、ダンパＩＩ形１Ａの抑止線６が工具本体２０の受け入れ口に配置された状態においてボルト２４ｂを締め付けた場合には、クランプ部２４の下側受け部２４ｃと上側受け部２４ｄとによって抑止線６が挟み込まれることになり、これによってダンパＩＩ形用着脱工具１０ＡによってダンパＩＩ形１Ａが固定的に保持されることになる。
【００４２】
他方、ダンパＩＩ形用着脱工具１０ＡによってダンパＩＩ形１Ａが固定的に保持された状態においてボルト２４ｂを緩めた場合には、クランプ部２４の下側受け部２４ｃおよび上側受け部２４ｄによる抑止線６の挟み込みが解除されることになり、これによってダンパＩＩ形用着脱工具１０ＡによるダンパＩＩ形１Ａの固定的な保持が解除されることになる。
【００４３】
ここで、上述したように、一対の立壁部２３の各々に設けられた受け入れ部２３ａは、クランプ部２４が設けられた受け入れ口に通じている。また、当該受け入れ部２３ａは、ダンパＩＩ形１Ａの抑止線６の外形よりも十分に大きな大きさを有しており、これにより抑止線６を受け入れることが可能に構成されている。
【００４４】
そのため、ダンパＩＩ形１Ａの抑止線６が工具本体２０の受け入れ口を越えて受け入れ部２３ａに配置された状態においてボルト２４ｂを締め付けた場合には、クランプ部２４の下側受け部２４ｃと上側受け部２４ｄとが互いに当接することになり、これによって受け入れ口が当該クランプ部２４によって閉鎖されることになる。したがって、当該状態においては、ダンパＩＩ形１Ａの抑止線６が受け入れ口を通過することができず、ダンパＩＩ形用着脱工具１０ＡによってダンパＩＩ形１Ａが固定されてはいないものの脱落不能に保持されることになる。以下、この状態の保持を「非固定的な保持」と称する。
【００４５】
なお、ダンパＩＩ形用着脱工具１０ＡによってダンパＩＩ形１Ａが非固定的に保持された状態においてボルト２４ｂを緩めた場合には、上述したクランプ部２４による閉鎖が解除されることになり、これによってダンパＩＩ形用着脱工具１０ＡからダンパＩＩ形１Ａを取り出すことが可能になる。
【００４６】
一対のガイド部２５の各々は、ガイドアーム２５ａと、軸支部２５ｂとを含んでいる。当該一対のガイド部２５の各々は、ダンパＩＩ形用着脱工具１０ＡによってダンパＩＩ形１Ａが固定的に保持された状態において、ダンパＩＩ形１Ａの送電線把持部２のキャップ４の移動を案内するためのものである。
【００４７】
より詳細には、一対のガイドアーム２５ａは、それぞれ一対の立壁部２３の内側表面側に配置された状態で一対の立壁部２３に組み付けられている。具体的には、一対のガイドアーム２５ａの各々は、軸支部２５ｂによって回転可能に支持されており、これにより図４中に示す矢印Ｅ方向に沿って回動可能に構成されている。
【００４８】
ここで、一対のガイドアーム２５ａの間の距離は、ダンパＩＩ形１Ａの送電線把持部２のキャップ４の左右方向の幅よりも僅かに大きく構成されている。そのため、当該一対のガイドアーム２５ａをそれぞれ回動させて予めその角度を調節しておくことにより、ダンパＩＩ形用着脱工具１０ＡによってダンパＩＩ形１Ａが固定的に保持された状態において、当該一対のガイドアーム２５ａをキャップ４の左右の壁面に宛がうことが可能になる。
【００４９】
このように、一対のガイドアーム２５ａをキャップ４の左右の壁面に宛がうことにより、上述したようにキャップ４の移動の案内が可能になるが、その詳細については後述することとする。なお、一対のガイドアーム２５ａのうちのキャップ４の左右の壁面に宛がわれる部分には、接触によってキャップ４に傷がつかないようにするために、たとえばゴム製の部材からなる緩衝材が貼り付けられていてもよい。
【００５０】
一対の係合部２６は、それぞれ一対の立壁部２３の上側端部寄りの部分に設けられており、ループ状の形状を有している。この一対の係合部２６は、工具本体２０をたとえば作業用クレーン等によって吊り下げる際に使用されるものであり、その使用方法については後述することとする。
【００５１】
図５ないし図１１は、本実施の形態に係るダンパＩＩ形用着脱工具を用いて送電線へダンパＩＩ形を取り付ける場合の取り付け作業の各段階を示す概略斜視図、模式平面図および模式側面図である。次に、これら図５ないし図１１を参照して、本実施の形態に係るダンパＩＩ形用着脱工具１０Ａを用いて送電線１０１へダンパＩＩ形１Ａを取り付ける場合の取り付け作業の作業手順について詳説する。
【００５２】
まず、図５ないし図７に示すように、上述した取り付け作業の第１段階として、ダンパＩＩ形用着脱工具１０Ａの工具本体２０によってダンパＩＩ形１Ａを固定的に保持する。図５は、当該取り付け作業の第１段階を示す概略斜視図であり、図６および図７は、それぞれ当該取り付け作業の第１段階が終了した後の状態を示す概略斜視図および模式平面図である。
【００５３】
具体的には、図５に示すように、予めクランプ部２４のボルト２４ｂを緩めた状態としておき、この状態においてダンパＩＩ形１Ａの抑止線６が工具本体２０の受け入れ口（すなわち、クランプ部２４の下側受け部２４ｃと上側受け部２４ｄとの間の空間）に配置されるように、ダンパＩＩ形１Ａを工具本体２０に図５中に示す矢印ＡＲ１方向から挿入する。
【００５４】
続いて、たとえば図示しない電動レンチを用いて、図５中に示す矢印Ｃ１方向にボルト２４ｂを回転させて締め付ける。これにより、下側受け部２４ｃが図５中に示す矢印Ｄ１方向に移動し、上述した工具本体２０の受け入れ口に配置されたダンパＩＩ形１Ａの抑止線６が、下側受け部２４ｃと上側受け部２４ｄとによって上下方向に挟み込まれることになり、図６および図７に示すように、ダンパＩＩ形用着脱工具１０ＡによってダンパＩＩ形１Ａが固定的に保持される。
【００５５】
なお、この取り付け作業の第１段階は、高所で行なう必要はなく、送電線１０１から離れた安全な場所にて行なうことができる。また、当該取り付け作業の第１段階においては、図示するように予め工具本体２０に絶縁棒３０が接続されていてもよいし、工具本体２０にダンパＩＩ形１Ａを取り付けた後に工具本体２０に絶縁棒３０が接続されてもよい。さらには、ダンパＩＩ形１Ａの送電線把持部２の締め付けボルト５は、送電線把持部２のアーム３とキャップ４との間に送電線１０１が挿入可能となるように、予め緩めた状態にしておくとよい。
【００５６】
ここで、予め工具本体２０の一対の立壁部２３の外側表面間の距離を、ダンパＩＩ形１Ａの一対の重錘部７間の距離に合致させておけば、図７に示すように、ダンパＩＩ形１Ａの一対の重錘部７のうちの一方（具体的には、図７中において左側に位置する重錘部）を予め工具本体２０の一対の立壁部２３のうちの一方（具体的には、図７中において左側に位置する立壁部）の外側表面に押し当てた状態とし、この状態において上述したクランプ部２４による抑止線６の挟み込みを行なうことにより、自ずとダンパＩＩ形用着脱工具１０Ａに対するダンパＩＩ形１Ａの位置決め（すなわちセンタリング）が行なえることになる。
【００５７】
また、この取り付け作業の第１段階が終了した後の状態においては、図６および図７に示すように、ダンパＩＩ形１Ａの送電線把持部２のキャップ４が、工具本体２０の一対の立壁部２３の間の空間に配置され、さらには、工具本体２０の一対のガイドアーム２５ａが、当該キャップ４の左右の側面に宛がわれた状態となる。なお、このとき、一対のガイドアーム２５ａは、予めキャップ４の左右の側面に宛がわれる位置に配置しておいてもよいし、工具本体２０にダンパＩＩ形１Ａを取り付けた後に一対のガイドアーム２５ａを回動させることでキャップ４の左右の側面に宛がわれるようにしてもよい。
【００５８】
加えて、この取り付け作業の第１段階が終了した後の状態においては、図６および図７に示すように、ダンパＩＩ形１Ａの送電線把持部２の締め付けボルト５が、工具本体２０の一対の立壁部２３の間の空間に配置された状態となる。ここで、本実施の形態に係るダンパＩＩ形用着脱工具１０Ａにおいては、当該状態において、工具本体２０のいずれの部位（たとえば基部２１やコネクタ部２２等）も、締め付けボルト５の軸線方向において当該締め付けボルト５に正対して位置することがないように構成されている（図９等参照）。
【００５９】
次に、図８に示すように、上述した取り付け作業の第２段階として、ダンパＩＩ形用着脱工具１０Ａによって固定的に保持されたダンパＩＩ形１Ａを送電線１０１に引っ掛ける。図８は、当該取り付け作業の第２段階を示す概略斜視図である。
【００６０】
具体的には、図８に示すように、ダンパＩＩ形１Ａを固定的に保持したダンパＩＩ形用着脱工具１０Ａを送電線１０１の近傍に配置し、ダンパＩＩ形用着脱工具１０Ａの工具本体２０を図８中に示す矢印ＡＲ２方向に向けて送電線１０１に近づけ、送電線把持部２のアーム３とキャップ４との間の隙間に送電線１０１が配置されるようにし、これによりダンパＩＩ形１Ａを送電線１０１に引っ掛ける。
【００６１】
この取り付け作業の第２段階は、送電線１０１の近傍（すなわち、もっぱら高所）で行なわれる。そのため、安全性の確保の観点から、作業員は、絶縁棒３０の工具本体２０が接続された側の端部とは反対側の端部寄りの部分を手で持って操作する。このとき、ダンパＩＩ形１Ａが重量物であることに鑑み、工具本体２０は、作業用クレーン等によって懸吊された状態とされることが好ましい。
【００６２】
すなわち、好ましくは、工具本体２０は、たとえば図示しない作業用クレーンから垂下された吊り下げロープ（いわゆる絶縁ロープ）４１によって吊り下げられた状態とされる。より具体的には、工具本体２０に設けられた一対のループ状の係合部２６の各々に連結リング４０が取り付けられ、当該連結リング４０に吊り下げロープ４１が挿通されることにより、工具本体２０が作業用クレーンによって懸吊される。このようにすれば、重量物であるダンパＩＩ形１Ａの重みが作業員の手に加わってしまうことが回避でき、作業員への負荷の軽減が図られるとともに、その作業性も大幅に向上することになる。
【００６３】
次に、図９に示すように、上述した取り付け作業の第３段階として、ダンパＩＩ形用着脱工具１０Ａによって固定的に保持されたダンパＩＩ形１Ａを送電線１０１に固定する。図９は、当該取り付け作業の第３段階を示す模式側面図である。
【００６４】
具体的には、図９に示すように、ダンパＩＩ形用着脱工具１０Ａに固定的に保持されつつ送電線１０１に引っ掛けられた状態にあるダンパＩＩ形１Ａの締め付けボルト５を、図示しない絶縁棒の先端に取り付けられた電動レンチ２００を用いて締め付ける。すなわち、電動レンチ２００のソケット部２０１を工具本体２０の一対の立壁部２３の間の空間に図９中に示す矢印ＡＲ３方向に沿って差し込み、これにより当該ソケット部２０１を締め付けボルト５の頭部に嵌め込み、電動レンチ２００を駆動することで締め付けボルト５を図９中に示す矢印Ａ１方向に回転させる。
【００６５】
締め付けボルト５が締め付けられることにより、締め付けボルト５およびこれが嵌め込まれたキャップ４は、図５中に示す矢印Ｂ１方向に（すなわちアーム３側に向けて）移動する。このとき、一対のガイドアーム２５ａによってキャップ４が案内されることにより、締め付けボルト５の回転に伴ってキャップ４が共回りして傾くことが防止でき、送電線１０１をアーム３とキャップ４とによって確実にかつ強固に把持することが可能になる。
【００６６】
なお、締め付けボルト５の締め付けが完了した後には、電動レンチ２００は、一対の立壁部２３の間の空間から引き抜かれる。以上により、ダンパＩＩ形１Ａは、ダンパＩＩ形用着脱工具１０Ａに固定的に保持されつつも、送電線１０１に強固に固定された状態となる。
【００６７】
次に、図１０に示すように、上述した取り付け作業の第４段階として、ダンパＩＩ形用着脱工具１０ＡによるダンパＩＩ形１Ａの固定的な保持を解除する。図１０は、当該取り付け作業の第４段階を示す概略斜視図である。
【００６８】
具体的には、図１０に示すように、たとえば図示しない絶縁棒の先端に取り付けられた電動レンチを用いて、図１０中に示す矢印Ｃ２方向にクランプ部２４のボルト２４ｂを回転させて緩める。これにより、クランプ部２４の下側受け部２４ｃが図１０中に示す矢印Ｄ２方向に移動し、当該クランプ部２４の下側受け部２４ｃおよび上側受け部２４ｄによる抑止線６の挟み込みが解除されることになり、これによってダンパＩＩ形用着脱工具１０ＡによるダンパＩＩ形１Ａの固定的な保持が解除される。
【００６９】
次に、図１１に示すように、上述した取り付け作業の第５段階として、ダンパＩＩ形用着脱工具１０ＡをダンパＩＩ形１Ａから引き抜く。図１１は、当該取り付け作業の第５段階を示す概略斜視図である。
【００７０】
具体的には、図１１に示すように、ダンパＩＩ形用着脱工具１０Ａを図１１中に示す矢印ＡＲ４方向に向けて移動させ、これにより送電線１０１に固定されたダンパＩＩ形１ＡからダンパＩＩ形用着脱工具１０Ａを引き抜く。このとき、ダンパＩＩ形１Ａの抑止線６は、工具本体２０の開放された受け入れ口から引き抜かれることになり、ダンパＩＩ形１Ａのみが送電線１０１に留まることになる。
【００７１】
以上において説明した作業手順に従うことにより、本実施の形態に係るダンパＩＩ形用着脱工具１０Ａを用いての送電線１０１へのダンパＩＩ形１Ａの取り付けが完了する。このように、本実施の形態に係るダンパＩＩ形用着脱工具１０Ａを用いることにより、容易にかつ安全に送電線１０１に対してダンパＩＩ形１Ａを取り付けることが可能になる。さらには、絶縁棒や絶縁ロープ等を用いた遠隔操作によって一連の作業が行なえるため、活線状態においても容易にかつ安全に送電線１０１に対してダンパＩＩ形１Ａを取り付けることが可能になる。
【００７２】
図１２ないし図１７は、本実施の形態に係るダンパＩＩ形用着脱工具を用いて送電線からダンパＩＩ形を取り外す場合の取り外し作業の各段階を示す概略斜視図および模式側面図である。次に、これら図１２ないし図１７を参照して、本実施の形態に係るダンパＩＩ形用着脱工具１０Ａを用いて送電線１０１からダンパＩＩ形１Ａを取り外す場合の取り外し作業の作業手順について詳説する。
【００７３】
まず、図１２に示すように、上述した取り外し作業の第１段階として、ダンパＩＩ形用着脱工具１０Ａの工具本体２０を送電線１０１に固定されたダンパＩＩ形１Ａに差し込む。図１２は、当該取り外し作業の第１段階を示す概略斜視図である。
【００７４】
具体的には、図１２に示すように、予めクランプ部２４のボルト２４ｂを緩めた状態としておき、この状態においてダンパＩＩ形１Ａの抑止線６が工具本体２０の受け入れ口を越えて受け入れ部２３ａに配置されるように、ダンパＩＩ形用着脱工具１０Ａの工具本体２０を図１２中に示す矢印ＡＲ５方向に向けて移動させてダンパＩＩ形１Ａに差し込む。
【００７５】
このとき、ダンパＩＩ形１Ａの送電線把持部２のキャップ４は、工具本体２０の一対の立壁部２３の間の空間に配置されることになる。その際、工具本体２０の一対のガイドアーム２５ａがキャップ４に接触することで邪魔になることがないように、当該一対のガイドアーム２５ａは、予め工具本体２０の後側端部寄りに回動されて配置されていることが好ましい。また、このとき、ダンパＩＩ形１Ａが重量物であることに鑑み、工具本体２０は、上述した作業用クレーン等によって懸吊された状態とされることが好ましい。
【００７６】
次に、図１３ないし図１５に示すように、上述した取り外し作業の第２段階として、ダンパＩＩ形用着脱工具１０Ａの工具本体２０を送電線１０１に固定されたダンパＩＩ形１Ａに取り付ける。図１３は、当該取り外し作業の第２段階を示す概略斜視図であり、図１４および図１５は、それぞれ当該取り外し作業の第２段階が終了した後の状態を示す概略斜視図および模式側面図である。
【００７７】
具体的には、図１３に示すように、ダンパＩＩ形１Ａに差し込まれた状態にある工具本体２０のクランプ部２４のボルト２４ｂを、たとえば図示しない絶縁棒の先端に取り付けられた電動レンチを用いて、図１３中に示す矢印Ｃ１方向に回転させて締め付ける。これにより、クランプ部２４の下側受け部２４ｃが図１３中に示す矢印Ｄ１方向に移動し、図１４および図１５に示すように、クランプ部２４の下側受け部２４ｃと上側受け部２４ｄとが互いに当接する。そのため、工具本体２０の受け入れ口が当該クランプ部２４によって閉鎖されることになる。
【００７８】
これにより、ダンパＩＩ形用着脱工具１０Ａの工具本体２０が、送電線１０１に固定されたダンパＩＩ形１Ａに取り付けられることになる。なお、この状態においては、ダンパＩＩ形１Ａの抑止線６が工具本体２０の受け入れ口を通過することができないため、ダンパＩＩ形用着脱工具１０ＡによってダンパＩＩ形１Ａが非固定的に保持されることになる。
【００７９】
次に、図１６に示すように、上述した取り外し作業の第３段階として、ダンパＩＩ形１Ａの送電線１０１への固定を解除する。図１６は、当該取り外し作業の第３段階を示す模式側面図である。
【００８０】
具体的には、図１６に示すように、送電線１０１に強固に固定されるとともに、ダンパＩＩ形用着脱工具１０Ａによって非固定的に保持された状態にあるダンパＩＩ形１Ａの締め付けボルト５を、図示しない絶縁棒の先端に取り付けられた電動レンチ２００を用いて緩める。すなわち、電動レンチ２００のソケット部２０１を工具本体２０の一対の立壁部２３の間の空間に図１６中に示す矢印ＡＲ６方向に沿って差し込み、これにより当該ソケット部２０１を締め付けボルト５の頭部に嵌め込み、電動レンチ２００を駆動することで締め付けボルト５を図１６中に示す矢印Ａ２方向に回転させる。
【００８１】
締め付けボルト５が緩められることにより、締め付けボルト５およびこれが嵌め込まれたキャップ４は、図１６中に示す矢印Ｂ２方向に（すなわちアーム３側とは反対側に向けて）移動することになる。このとき、上述したように、一対のガイドアーム２５ａが予め工具本体２０の後側端部寄りに回動されて配置されているため、キャップ４は、スムーズに移動することができる。
【００８２】
締め付けボルト５が緩められた後には、送電線把持部２による送電線１０１の把持が解除されるため、ダンパＩＩ形１Ａは、その自重によって送電線１０１から脱落する。しかしながら、上述したように、ダンパＩＩ形１Ａは、ダンパＩＩ形用着脱工具１０Ａによって非固定的に保持された状態にあるため、ダンパＩＩ形１Ａが落下することはない。
【００８３】
ここで、送電線１０１から脱落したダンパＩＩ形１Ａは、ダンパＩＩ形用着脱工具１０Ａによって受け止められる。そのため、ダンパＩＩ形用着脱工具１０Ａに相当程度の衝撃が発生することになる。しかしながら、上述したように、工具本体２０は作業用クレーンによって懸吊された状態にあるため、当該衝撃が作業員の手に加わってしまうことが回避できる。
【００８４】
なお、締め付けボルト５が緩められた後には、電動レンチ２００は、一対の立壁部２３の間の空間から引き抜かれる。以上により、ダンパＩＩ形１Ａの送電線把持部２による送電線１０１の把持を解除され、ダンパＩＩ形１Ａは、その後においてダンパＩＩ形用着脱工具１０Ａによって非固定的に保持されることになる。
【００８５】
次に、図１７に示すように、上述した取り外し作業の第４段階として、ダンパＩＩ形１Ａを送電線１０１から引き離す。図１７は、当該取り外し作業の第４段階を示す概略斜視図である。
【００８６】
具体的には、図１７に示すように、ダンパＩＩ形用着脱工具１０Ａを図１７中に示す矢印ＡＲ７方向に向けて移動させ、これによりダンパＩＩ形用着脱工具１０Ａによって非固定的に保持されたダンパＩＩ形１Ａを送電線１０１から引き離す。その後、ダンパＩＩ形１Ａは、高所ではない安全な場所においてダンパＩＩ形用着脱工具１０Ａから取り外されて回収される。
【００８７】
以上において説明した作業手順に従うことにより、本実施の形態に係るダンパＩＩ形用着脱工具１０Ａを用いての送電線１０１へのダンパＩＩ形１Ａの取り外しが完了する。このように、本実施の形態に係るダンパＩＩ形用着脱工具１０Ａを用いることにより、容易にかつ安全に送電線１０１に対してダンパＩＩ形１Ａを取り外すことが可能になる。さらには、絶縁棒や絶縁ロープ等を用いた遠隔操作によって一連の作業が行なえるため、活線状態においても容易にかつ安全に送電線１０１に対してダンパＩＩ形１Ａを取り外すことが可能になる。
【００８８】
図１８は、図４に示すダンパＩＩ形用着脱工具を用いて送電線へダンパＩＩ形を取り付ける場合の、位置決め部材を用いた場合の取り付け作業の第１段階が終了した後の状態を示す模式平面図である。以下、この図１８を参照して、当該位置決め部材２９の構成ならびに使用方法について説明する。
【００８９】
上述したように、工具本体２０の一対の立壁部２３の外側表面間の距離をダンパＩＩ形１Ａの一対の重錘部７間の距離に予め合致させておけば、以下において説明する位置決め部材２９を用いずとも、ダンパＩＩ形用着脱工具１０Ａに対するダンパＩＩ形１Ａの位置決め（すなわちセンタリング）が行なえることになる（図７参照）。
【００９０】
しかしながら、ダンパＩＩ形１Ａには、仕様の異なる複数種が存在し、これらにおいては一対の重錘部７間の距離が相違している。そのため、本実施の形態に係るダンパＩＩ形用着脱工具１０Ａにおいては、一対の立壁部２３の外側表面間の距離が、上記複数種のダンパＩＩ形１Ａのうち、一対の重錘部７間の距離が最も近いものの当該距離に合致するように構成されており、その余の種類のものに用いる場合には、位置決め部材を使用することとしている。
【００９１】
すなわち、図１８に示すように、本実施の形態に係るダンパＩＩ形用着脱工具１０Ａにおいては、工具本体２０の一対の立壁部２３のうちの一方（図１８中において左側に位置する立壁部）に略円柱状の外形を有する位置決め部材２９が組み付け可能に構成されている。当該位置決め部材２９は、上述した一対の重錘部７間の距離が最も近い種類のもの以外のダンパＩＩ形用着脱工具の種類毎に予め準備されており、各々の長さ（すなわち、図１８中に示す左右方向の大きさ）がこれらに応じて設定されている。
【００９２】
当該位置決め部材２９は、個別に一対の立壁部２３のうちの上述した一方に組み付けが可能であり、具体的には、当該一方の立壁部２３に設けられた貫通孔２３ｂ（図４参照）にビス２３ｃを挿し込んでこれを当該一方の立壁部２３の外側表面に宛がわれた位置決め部材２９のビス孔に螺合することにより、工具本体２０に固定される。
【００９３】
これにより、一対の重錘部７間の距離が異なる種類のダンパＩＩ形１Ａのいずれに対しても、所定の長さの位置決め部材２９を予め一対の立壁部２３の一方に組み付けておくことにより、ダンパＩＩ形１Ａの抑止線６が工具本体２０の受け入れ口に配置された状態において、ダンパＩＩ形１Ａの一対の重錘部７のうちの一方と一対の立壁部２３のうちの一方との間に当該位置決め部材２９が介在することになり、自ずとダンパＩＩ形用着脱工具１０Ａに対するダンパＩＩ形１Ａの位置決め（すなわちセンタリング）が行なえることになる。
【００９４】
＜実施の形態２＞
図１９は、ダンパＩ形の送電線への取り付け状態を示す概略斜視図であり、図２０は、図１９に示すＸＸ−ＸＸ線に沿った模式断面図である。まず、本実施の形態に係るダンパＩ形用着脱工具について説明するに先だって、これら図１９および図２０を参照して、ダンパＩ形１Ｂについて詳説する。
【００９５】
図１９および図２０に示すように、ダンパＩ形１Ｂは、上述したダンパＩＩ形１Ａと同様に、送電線把持部２と、抑止線６と、一対の重錘部７とを有している。送電線把持部２は、アーム３と、キャップ４と、締め付けボルト５とを含んでおり、このうちのアーム３およびキャップ４によって送電線１０１が把持される。
【００９６】
ここで、ダンパＩ形１Ｂは、上述したダンパＩＩ形１Ａと比較した場合に、送電線把持部２の抑止線６に対する組み付け角度のみが異なっている。すなわち、ダンパＩ形１Ｂにおいては、側面視した状態においてアーム３の上側端部寄りの部分がアーム３の下側端部寄りの部分よりも前方（すなわち、図２０中における左方）に配置されるように送電線把持部２が前傾している。これにより、ダンパＩ形１Ｂが送電線１０１に取り付けられた使用状態においては、抑止線６が送電線１０１の後方下側の位置に配置されることになる。
【００９７】
図２１は、本実施の形態に係るダンパＩ形用着脱工具の概略斜視図である。次に、この図２１を参照して、本実施の形態に係るダンパＩ形用着脱工具１０Ｂの構成について詳説する。
【００９８】
図２１に示すように、ダンパＩ形用着脱工具１０Ｂは、上述したダンパＩＩ形用着脱工具１０Ａと同様に、工具本体２０と、絶縁棒３０とを備えている。このうち、工具本体２０は、基部２１と、コネクタ部２２と、一対の立壁部２３と、一対のクランプ部２４と、一対のガイド部２５と、一対の係合部２６と、押圧部２７とを主として有している。
【００９９】
ここで、ダンパＩ形用着脱工具１０Ｂは、上述したダンパＩＩ形用着脱工具１０Ａと比較した場合に、工具本体２０の一対の立壁部２３の形状が異なっているとともに、工具本体２０に上述のとおり押圧部２７が設けられている点において、主としてその構成が相違している。これら構成の相違は、取り付け対象であるダンパＩ形１ＢとダンパＩＩ形１Ａとの構成の差に起因している。
【０１００】
基部２１は、左右方向に沿って延在するように位置しており、コネクタ部２２は、基部２１の左右方向の中央位置に固定されている。基部２１の左側端部には、一対の立壁部２３のうちの一方が固定されており、基部２１の右側端部には、一対の立壁部２３のうちの他方が固定されている。
【０１０１】
一対の立壁部２３の各々は、所定の距離を隔てて対向するように配置されており、いずれもその後側端部寄りの部分が基部２１に固定されている。一対の立壁部２３の各々は、側面視略ｈ字状の形状を有しており、基部２１に固定された側とは反対側に位置する前側端部寄りの部分に、クランプ部２４が設けられた受け入れ口を有している。また、一対の立壁部２３の各々の受け入れ口よりも後側端部寄りの部分には、当該受け入れ口に通じるように切り欠き形状の受け入れ部２３ａが設けられている。
【０１０２】
一対のガイド部２５は、それらのガイドアーム２５ａがそれぞれ一対の立壁部２３の内側表面側に配置された状態で一対の立壁部２３に回動可能に組み付けられている。また、一対の係合部２６は、それぞれ一対の立壁部２３の後側端部寄りの部分であってかつ上側端部寄りの部分に設けられている。
【０１０３】
なお、工具本体２０に設けられた受け入れ口、受け入れ部２３ａ、クランプ部２４、ガイド部２５および係合部２６の構成は、いずれも上述したダンパＩＩ形用着脱工具１０Ａにおけるそれらの構成に準じており、それらの機能も同じである。
【０１０４】
押圧部２７は、一対の立壁部２３の間の空間に配置されている。より詳細には、押圧部２７は、基部２１の内側表面から立設された軸部２７ａと、当該軸部２７ａよりも工具本体２０の前側端部寄りの位置に配置された押圧ディスク２７ｂと、これら軸部２７ａおよび押圧ディスク２７ｂの間に位置する付勢ばね２７ｃと、押圧ディスク２７ｂに取り付けられた拘束バンド２７ｄとを含んでいる。なお、基部２１の所定位置には、フック２１ａが設けられており、当該フック２１ａは、拘束バンド２７ｄを引っ掛けることが可能に構成されている。
【０１０５】
このうち、押圧ディスク２７ｂは、図２１中に示す矢印Ｆ方向に移動可能に構成されている。すなわち、付勢ばね２７ｃは、押圧ディスク２７ｂを軸部２７ａから遠ざける方向に向けて弾性付勢するものであり、拘束バンド２７ｄが上述したフック２１ａに引っ掛けられた状態においては、付勢ばね２７ｃが圧縮した状態にあり、これにより押圧ディスク２７ｂは、その移動が規制されている。しかしながら、拘束バンド２７ｄが上述したフック２１ａから外された状態においては、押圧ディスク２７ｂは、その拘束が解除されることになり、付勢ばね２７ｃによって押圧されて工具本体２０の前側端部側に向けて移動することになる。
【０１０６】
当該構成の押圧部２７が工具本体２０に設けられることにより、クランプ部２４によってダンパＩ形１Ｂの抑止線６が保持された状態（すなわち、後述するようにダンパＩ形用着脱工具１０ＢによってダンパＩ形１Ｂが固定的に保持された状態）において、この押圧部２７によってダンパＩ形１Ｂの送電線把持部２のキャップ４がアーム３に対して押圧されることになるが、この点については後において詳述することとする。
【０１０７】
図２２ないし図２５は、本実施の形態に係るダンパＩ形用着脱工具を用いて送電線へダンパＩ形を取り付ける場合の取り付け作業の各段階のうちの所定段階を示す概略斜視図、模式平面図および模式側面図である。次に、これら図２２ないし図２５を参照して、本実施の形態に係るダンパＩ形用着脱工具１０Ｂを用いて送電線１０１へダンパＩ形１Ｂを取り付ける場合の取り付け作業の作業手順について詳説する。
【０１０８】
ここで、本実施の形態に係るダンパＩ形用着脱工具１０Ｂを用いたダンパＩ形１Ｂの送電線１０１への取り付け作業は、上述したダンパＩＩ形用着脱工具１０Ａを用いたダンパＩＩ形１Ａの送電線１０１への取り付け作業（図５ないし図１１参照）に準じたものであるため、その大部分の説明はここでは省略する。
【０１０９】
まず、図２２および図２３に示すように、上述した取り付け作業の第１段階として、ダンパＩ形用着脱工具１０Ｂの工具本体２０によってダンパＩ形１Ｂを固定的に保持する。図２２および図２３は、それぞれ当該取り付け作業の第１段階が終了した後の状態を示す概略斜視図および模式平面図である。
【０１１０】
具体的には、予めクランプ部２４のボルト２４ｂを緩めた状態としておき、この状態においてダンパＩ形１Ｂの抑止線６が工具本体２０の受け入れ口に配置されるように、ダンパＩ形１Ｂを工具本体２０に挿入する。続いて、たとえば電動レンチを用いて、ボルト２４ｂを回転させて締め付ける。これにより、図２２および図２３に示すように、ダンパＩ形用着脱工具１０ＢによってダンパＩ形１Ｂが固定的に保持される。
【０１１１】
なお、その際、押圧部２７は、予め拘束バンド２７ｄがフック２１ａに引っ掛けられた状態としておく。これにより、押圧部２７がキャップ４に接触することで邪魔になることがなくなるため、スムーズにダンパＩ形用着脱工具１０ＢによってダンパＩ形１Ｂを固定的に保持させることが可能になる。
【０１１２】
また、この取り付け作業の第１段階が終了した後の状態においては、工具本体２０の一対のガイドアーム２５ａが、ダンパＩ形１Ｂの送電線把持部２のキャップ４の左右の側面に宛がわれた状態となる。さらには、この取り付け作業の第１段階が終了した後の状態においては、ダンパＩ形１Ｂの送電線把持部２の締め付けボルト５が、工具本体２０の一対の立壁部２３の間の空間に配置された状態となる。
【０１１３】
ここで、本実施の形態に係るダンパＩ形用着脱工具１０Ｂにおいては、当該状態において、工具本体２０のいずれの部位（たとえば基部２１やコネクタ部２２等）も、締め付けボルト５の軸線方向において当該締め付けボルト５に正対して位置することがないように構成されている（図２５等参照）。
【０１１４】
次に、図２４に示すように、上述した取り付け作業の第１段階の付加作業として、ダンパＩ形用着脱工具１０Ｂによって固定的に保持されたダンパＩ形１Ｂの送電線把持部２のキャップ４が工具本体２０に設けられた押圧部２７によって押圧された状態とする。図２４は、当該取り付け作業の第１段階の付加作業が終了した後の状態を示す模式平面図である。
【０１１５】
具体的には、拘束バンド２７ｄをフック２１ａから外す。これにより、押圧ディスク２７ｂは、その拘束が解除されることによって付勢ばね２７ｃによって押圧されて工具本体２０の前側端部側に向けて移動することになり、これによって送電線把持部２のキャップ４に当接する。このキャップ４に対する押圧ディスク２７ｂの当接により、付勢ばね２７ｃの弾性付勢力が当該押圧ディスク２７ｂを介してキャップ４に付加されることになり、キャップ４が図２４中に示す矢印Ｆ１方向に向けて（すなわちアーム３側に向けて）押圧されることになる。
【０１１６】
次に、上述した取り付け作業の第２段階として、ダンパＩ形用着脱工具１０Ｂによって固定的に保持されたダンパＩ形１Ｂを送電線１０１に引っ掛け、その後、図２５に示すように、上述した取り付け作業の第３段階として、ダンパＩ形用着脱工具１０Ｂによって固定的に保持されたダンパＩ形１Ｂを送電線１０１に固定する。図２５は、当該取り付け作業の第３段階を示す模式側面図である。
【０１１７】
具体的には、図２５に示すように、ダンパＩ形用着脱工具１０Ｂに固定的に保持されつつ送電線１０１に引っ掛けられた状態にあるダンパＩ形１Ｂの締め付けボルト５を、図示しない絶縁棒の先端に取り付けられた電動レンチ２００を用いて締め付ける。すなわち、電動レンチ２００のソケット部２０１を工具本体２０の一対の立壁部２３の間の空間に図２５中に示す矢印ＡＲ３方向に沿って差し込み、これにより当該ソケット部２０１を締め付けボルト５の頭部に嵌め込み、電動レンチ２００を駆動することで締め付けボルト５を図２５中に示す矢印Ａ１方向に回転させる。
【０１１８】
締め付けボルト５が締め付けられることにより、締め付けボルト５およびこれが嵌め込まれたキャップ４は、図２５中に示す矢印Ｂ１方向に（すなわちアーム３側に向けて）移動する。このとき、一対のガイドアーム２５ａによってキャップ４が案内されることにより、締め付けボルト５の回転に伴ってキャップ４が共回りして傾くことが抑制でき、送電線１０１をアーム３とキャップ４とによって強固に把持することが可能になる。
【０１１９】
しかしながら、本実施の形態においては、上述した実施の形態１と比べた場合に、工具本体２０の構造上、一対のガイドアーム２５ａが宛がわれる部分のキャップ４の左右の側面の領域が小さくなる（すなわち、一対のガイドアーム２５ａの先端部のみがキャップ４の左右の側面に宛がわれた状態となる）ため、場合によっては、締め付けボルト５の回転に伴ってキャップ４が共回りして傾いてしまうことを完全には防止できないおそれがある。
【０１２０】
この点、本実施の形態に係るダンパＩ形用着脱工具１０Ｂにおいては、上述したようにキャップ４をアーム３側に向けて押圧する押圧部２７が工具本体２０に設けられているため、当該押圧部２７によってキャップ４に傾きが生じることが効果的に防止できることになり、送電線１０１をアーム３とキャップ４とによって確実にかつ強固に把持することが可能になる。
【０１２１】
なお、締め付けボルト５の締め付けが完了した後には、電動レンチ２００は、一対の立壁部２３の間の空間から引き抜かれる。以上により、ダンパＩ形１Ｂは、ダンパＩ形用着脱工具１０Ｂに固定的に保持されつつも、送電線１０１に強固に固定された状態となる。
【０１２２】
次に、上述した取り付け作業の第４段階として、ダンパＩ形用着脱工具１０ＢによるダンパＩ形１Ｂの固定的な保持を解除し、その後、上述した取り付け作業の第５段階として、ダンパＩ形用着脱工具１０ＢをダンパＩ形１Ｂから引き抜く。
【０１２３】
以上において説明した作業手順に従うことにより、本実施の形態に係るダンパＩ形用着脱工具１０Ｂを用いての送電線１０１へのダンパＩ形１Ｂの取り付けが完了する。このように、本実施の形態に係るダンパＩ形用着脱工具１０Ｂを用いることにより、容易にかつ安全に送電線１０１に対してダンパＩ形１Ｂを取り付けることが可能になる。さらには、絶縁棒や絶縁ロープ等を用いた遠隔操作によって一連の作業が行なえるため、活線状態においても容易にかつ安全に送電線１０１に対してダンパＩ形１Ｂを取り付けることが可能になる。
【０１２４】
図２６および図２７は、本実施の形態に係るダンパＩ形用着脱工具を用いて送電線からダンパＩ形を取り外す場合の取り外し作業の各段階のうちの所定段階を示す模式側面図である。次に、これら図２６および図２７を参照して、本実施の形態に係るダンパＩ形用着脱工具１０Ｂを用いて送電線１０１からダンパＩ形１Ｂを取り外す場合の取り外し作業の作業手順について詳説する。
【０１２５】
ここで、本実施の形態に係るダンパＩ形用着脱工具１０Ｂを用いたダンパＩ形１Ｂの送電線１０１からの取り外し作業は、上述したダンパＩＩ形用着脱工具１０Ａを用いたダンパＩＩ形１Ａの送電線１０１からの取り外し作業（図１２ないし図１７参照）に準じたものであるため、その大部分の説明はここでは省略する。
【０１２６】
まず、図２６に示すように、上述した取り外し作業の第１段階として、ダンパＩ形用着脱工具１０Ｂの工具本体２０を送電線１０１に固定されたダンパＩ形１Ｂに差し込み、その後、上述した取り外し作業の第２段階として、ダンパＩ形用着脱工具１０Ｂの工具本体２０を送電線１０１に固定されたダンパＩ形１Ｂに取り付ける。図２６は、当該取り外し作業の第２段階が終了した後の状態を示す模式側面図である。
【０１２７】
具体的には、予めクランプ部２４のボルト２４ｂを緩めた状態としておき、この状態においてダンパＩ形１Ｂの抑止線６が工具本体２０の受け入れ口を越えて受け入れ部２３ａに配置されるように、ダンパＩ形用着脱工具１０Ｂの工具本体２０を移動させてダンパＩ形１Ｂに差し込む。そして、ダンパＩ形１Ｂに差し込まれた状態にある工具本体２０のクランプ部２４のボルト２４ｂを、たとえば図示しない絶縁棒の先端に取り付けられた電動レンチを用いて締め付け、これにより工具本体２０の受け入れ口を当該クランプ部２４によって閉鎖する。
【０１２８】
これにより、ダンパＩ形用着脱工具１０Ｂの工具本体２０が、送電線１０１に固定されたダンパＩ形１Ｂに取り付けられることになる。なお、この状態においては、ダンパＩ形１Ｂの抑止線６が工具本体２０の受け入れ口を通過することができないため、ダンパＩ形用着脱工具１０ＢによってダンパＩ形１Ｂが非固定的に保持されることになる。
【０１２９】
その際、工具本体２０の一対のガイドアーム２５ａがキャップ４に接触することで邪魔になることがないように、当該一対のガイドアーム２５ａは、予め工具本体２０の上方側を向くように回動されて配置されていることが好ましい。また、その際、押圧部２７は、予め拘束バンド２７ｄがフック２１ａに引っ掛けられた状態としておく。これにより、押圧部２７がキャップ４に接触することで邪魔になることがなくなるため、スムーズにダンパＩ形用着脱工具１０ＢによってダンパＩ形１Ｂを非固定的に保持させることが可能になる。
【０１３０】
次に、図２７に示すように、上述した取り外し作業の第３段階として、ダンパＩ形１Ｂの送電線１０１への固定を解除する。図２７は、当該取り外し作業の第３段階を示す模式側面図である。
【０１３１】
具体的には、図２７に示すように、送電線１０１に強固に固定されるとともに、ダンパＩ形用着脱工具１０Ｂによって非固定的に保持された状態にあるダンパＩ形１Ｂの締め付けボルト５を、図示しない絶縁棒の先端に取り付けられた電動レンチ２００を用いて緩める。すなわち、電動レンチ２００のソケット部２０１を工具本体２０の一対の立壁部２３の間の空間に図２７中に示す矢印ＡＲ６方向に沿って差し込み、これにより当該ソケット部２０１を締め付けボルト５の頭部に嵌め込み、電動レンチ２００を駆動することで締め付けボルト５を図２７中に示す矢印Ａ２方向に回転させる。
【０１３２】
締め付けボルト５が緩められることにより、締め付けボルト５およびこれが嵌め込まれたキャップ４は、図２７中に示す矢印Ｂ２方向に（すなわちアーム３側とは反対側に向けて）移動することになる。このとき、上述したように、一対のガイドアーム２５ａが予め工具本体２０の上方側を向くように回動されて配置されているため、キャップ４は、スムーズに移動することができる。
【０１３３】
締め付けボルト５が緩められた後には、送電線把持部２による送電線１０１の把持が解除されるため、ダンパＩ形１Ｂは、その自重によって送電線１０１から脱落する。しかしながら、上述したように、ダンパＩ形１Ｂは、ダンパＩ形用着脱工具１０Ｂによって非固定的に保持された状態にあるため、ダンパＩ形１Ｂが落下することはない。
【０１３４】
なお、締め付けボルト５が緩められた後には、電動レンチ２００は、一対の立壁部２３の間の空間から引き抜かれる。以上により、ダンパＩ形１Ｂの送電線把持部２による送電線１０１の把持を解除され、ダンパＩ形１Ｂは、その後においてダンパＩ形用着脱工具１０Ｂによって非固定的に保持されることになる。
【０１３５】
次に、上述した取り外し作業の第４段階として、ダンパＩ形１Ｂを送電線１０１から引き離し、その後、ダンパＩ形１Ｂは、高所ではない安全な場所においてダンパＩ形用着脱工具１０Ｂから取り外されて回収される。
【０１３６】
以上において説明した作業手順に従うことにより、本実施の形態に係るダンパＩ形用着脱工具１０Ｂを用いての送電線１０１へのダンパＩ形１Ｂの取り外しが完了する。このように、本実施の形態に係るダンパＩ形用着脱工具１０Ｂを用いることにより、容易にかつ安全に送電線１０１に対してダンパＩ形１Ｂを取り外すことが可能になる。さらには、絶縁棒や絶縁ロープ等を用いた遠隔操作によって一連の作業が行なえるため、活線状態においても容易にかつ安全に送電線１０１に対してダンパＩ形１Ｂを取り外すことが可能になる。
【０１３７】
＜その他の形態等＞
上述した本発明の実施の形態１，２において開示した架空電線用ダンパの着脱工具としてのダンパＩＩ形用着脱工具およびダンパＩ形用着脱工具の工具本体の具体的な構成は、適宜その変更が可能である。すなわち、工具本体に一対の立壁部、受け入れ口、クランプ部および受け入れ部が設けられる限りにおいては、これらを含む各部の形状や材質、当該各部が設けられる位置、個数等を種々変更することができる。
【０１３８】
また、上述した本発明の実施の形態１，２において開示した特徴的な構成は、当然に相互にこれらを組み合わせることができる。
【０１３９】
さらには、上述した本発明の実施の形態１，２においては、架空電線用ダンパの着脱工具として、送電線用ダンパの送電線への取り付けおよび取り外しに使用されるものを例示して説明を行なったが、本発明の適用対象は、これに限定されるものではない。
【０１４０】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１４１】
１  ダブルトーショナルダンパ、１Ａ  ダブルトーショナルダンパＩＩ形（ダンパＩＩ形）、１Ｂ  ダブルトーショナルダンパＩ形（ダンパＩ形）、２  送電線把持部、３  アーム、４  キャップ、５  締め付けボルト、６  抑止線、７  重錘部、１０Ａ  ダブルトーショナルダンパＩＩ形の着脱工具（ダンパＩＩ形用着脱工具）、１０Ｂ  ダブルトーショナルダンパＩ形の着脱工具（ダンパＩ形用着脱工具）、２０  工具本体、２１  基部、２１ａ  フック、２２  コネクタ部、２３  立壁部、２３ａ  受け入れ部、２３ｂ  貫通孔、２３ｃ  ビス、２４  クランプ部、２４ａ  クランプベース、２４ｂ  ボルト、２４ｃ  下側受け部、２４ｄ  上側受け部、２５  ガイド部、２５ａ  ガイドアーム、２５ｂ  軸支部、２６  係合部、２７  押圧部、２７ａ  軸部、２７ｂ  押圧ディスク、２７ｃ  付勢ばね、２７ｄ  拘束バンド、２９  位置決め部材、３０  絶縁棒、４０  連結リング、４１  吊り下げロープ（絶縁ロープ）、１００  送電用鉄塔、１０１  送電線、２００  電動レンチ、２０１  ソケット部。
【要約】
【課題】架空電線に対する架空電線用ダンパの取り付けおよび取り外しを容易にかつ安全に行なうことができる架空電線用ダンパの着脱工具を提供する。
【解決手段】架空電線用ダンパの着脱工具１０Ａは、左右一対の立壁部２３を有する工具本体２０と、工具本体２０を支持する絶縁棒３０とを備える。左右一対の立壁部２３の各々には、クランプ部２４が設けられた受け入れ口と、受け入れ口に通じることで架空電線用ダンパの抑止線を受け入れ可能な受け入れ部２３ａとが設けられる。クランプ部２４は、架空電線用ダンパの抑止線が受け入れ口に配置された状態において、これを挟み込むことで保持することができるとともに、架空電線用ダンパの抑止線が受け入れ部２３ａに配置された状態において、これが受け入れ口を通過しないように受け入れ口を閉鎖することができる。
【選択図】図４【図１】
0006832022.tif 000002
【図２】
0006832022.tif 000003
【図３】
0006832022.tif 000004
【図４】
0006832022.tif 000005
【図５】
0006832022.tif 000006
【図６】
0006832022.tif 000007
【図７】
0006832022.tif 000008
【図８】
0006832022.tif 000009
【図９】
0006832022.tif 000010
【図１０】
0006832022.tif 000011
【図１１】
0006832022.tif 000012
【図１２】
0006832022.tif 000013
【図１３】
0006832022.tif 000014
【図１４】
0006832022.tif 000015
【図１５】
0006832022.tif 000016
【図１６】
0006832022.tif 000017
【図１７】
0006832022.tif 000018
【図１８】
0006832022.tif 000019
【図１９】
0006832022.tif 000020
【図２０】
0006832022.tif 000021
【図２１】
0006832022.tif 000022
【図２２】
0006832022.tif 000023
【図２３】
0006832022.tif 000024
【図２４】
0006832022.tif 000025
【図２５】
0006832022.tif 000026
【図２６】
0006832022.tif 000027
【図２７】
0006832022.tif 000028